(57)【要約】      （修正有）【課題】皮下脂肪厚を精度良く測定することができる生体測定装置を提供する。【解決手段】生体測定装置は、各々が、人体の皮下脂肪厚を測定しようとする部位に接触させて測定を行うための測定電極である第１の電流印加用電極１２ａ、第２の電流印加用電極１２ｂ、第１の電圧測定用電極１２ｃ、および第２の電圧測定用電極１２ｄ、を備え、第１の電流印加用電極１２ａと第２の電流印加用電極１２ｂとの間隔は、測定可能な皮下脂肪厚の上限に基づく。【選択図】図２
2015093014.tif 000002
【特許請求の範囲】
【請求項１】
各々が、人体の皮下脂肪厚を測定しようとする部位に接触させて測定を行うための測定電極である第１の電流印加用電極、第２の電流印加用電極、第１の電圧測定用電極、および第２の電圧測定用電極、
を備え、
前記第１の電流印加用電極と前記第２の電流印加用電極との間隔は、
測定可能な皮下脂肪厚の上限に基づく生体測定装置。
【請求項２】
前記第１の電流印加用電極と前記第２の電流印加用電極との間隔は、
測定可能な皮下脂肪厚の上限値の３分の１である、
請求項１に記載の生体測定装置。
【請求項３】
前記第１の電流印加用電極と前記第２の電流印加用電極との間隔は、
前記第１の電流印加用電極と前記第２の電流印加用電極のうちいずれか一方の電極から前記人体を介して他方の電極に至る電流経路を流れる電流と、前記第１の電圧測定用電極と前記第２の電圧測定用電極と間に発生する電圧とから求めるレジスタンスとリアクタンスとの比と、前記皮下脂肪厚との関係が一次関数で表される上限値の皮下脂肪厚の３分の１である、
請求項１または請求項２に記載の生体測定装置。
【請求項４】
前記第１の電流印加用電極および前記第２の電流印加用電極は、
前記第１の電圧測定用電極と前記第２の電圧測定用電極との間に挟まれるようにして配置される、
請求項１から請求項３のいずれか１項に記載の生体測定装置。
【請求項５】
前記第１の電圧測定用電極は、前記第１の電流印加用電極の長手方向の垂直に隣接して配置され、
前記第１の電流印加用電極は、前記第２の電流印加用電極の長手方向の垂直に隣接して配置され、
前記第２の電流印加用電極は、前記第２の電圧測定用電極の長手方向の垂直に隣接して配置される、
請求項１から請求項４のいずれか１項に記載の生体測定装置。
【請求項６】
前記第１の電圧測定用電極と前記第１の電流印加用電極との間隔と、前記第２の電流印加用電極と前記第２の電圧測定用電極との間隔とが等しい、
請求項１から請求項５のいずれか１項に記載の生体測定装置。
【請求項７】
前記第１の電圧測定用電極と前記第１の電流印加用電極との間隔と、前記第１の電流印加用電極と前記第２の電流印加用電極との間隔とが等しい、
請求項１から請求項６のいずれか１項に記載の生体測定装置。
【請求項８】
前記第１の電流印加用電極は、
前記第１の電圧測定用電極または前記第２の電流印加用電極の少なくともいずれか一方の方向に移動可能である
ことを特徴とする請求項１から請求項７のいずれか１項に記載の生体測定装置。
【請求項９】
前記第２の電流印加用電極は、
前記第２の電圧測定用電極または前記第１の電流印加用電極の少なくともいずれか一方の方向に移動可能である、
請求項１から請求項８のいずれか１項に記載の生体測定装置。
【請求項１０】
前記第１の電圧測定用電極は、
前記第１の電流印加用電極の移動に伴って、当該第１の電流印加用電極の移動方向と同じ方向に移動し、
前記第２の電圧測定用電極は、
前記第２の電流印加用電極の移動に伴って、当該第２の電流印加用電極の移動方向と同じ方向に移動する、
請求項１から請求項９のいずれか１項に記載の生体測定装置。
【請求項１１】
前記第１の電流印加用電極、前記第２の電流印加用電極、前記第１の電圧測定用電極、および前記第２の電圧測定用電極おのおのの表面積が同一である、
請求項１から請求項１０のいずれか１項に記載の生体測定装置。
【請求項１２】
前記第１の電流印加用電極と前記第２の電流印加用電極との間を流れる交流電流を出力する電流発生部と、
前記第１の電圧測定用電極と前記第２の電圧測定用電極との間の電圧を測定する電圧測定部と、
前記測定電極が人体の皮下脂肪厚を測定する部位に接触したときに、前記第１の電流印加用電極および前記第２の電流印加用電極のうちの何れか一方の電極から前記人体を介して他方の電極へ至る電流経路を流れる電流と、前記電圧測定部にて測定される電圧との位相差に基づいて、前記第１の電流印加用電極と前記第２の電流印加用電極との間における皮下脂肪厚を求める皮下脂肪厚測定部と、
を備える請求項１から請求項１１のいずれか１項に記載の生体測定装置。
【請求項１３】
前記皮下脂肪厚測定部は、
前記電流経路を流れる電流と前記電圧測定部にて測定される電圧とから求められるリアクタンスおよびレジスタンスに基づいて、前記位相差を求める、
請求項１２に記載の生体測定装置。
【発明の詳細な説明】
【技術分野】
【０００１】
本発明は、生体測定装置に関する。
【背景技術】
【０００２】
従来、手や足に測定電極を接触させて測定されるインピーダンスに基づいて、人体の皮下脂肪厚を測定する技術が知られている（例えば、特許文献１参照）。
【先行技術文献】
【特許文献】
【０００３】
【特許文献１】特開２００１−１７８６９７号公報
【発明の概要】
【発明が解決しようとする課題】
【０００４】
しかしながら、特許文献１のように、インピーダンスのみに基づいて皮下脂肪厚を測定する技術では、脂肪の情報だけを捉えることはできず、脂肪の下に存在する筋肉の状態によって測定値が変動するため、皮下脂肪厚を正確に測定することは困難であるという問題があった。
【０００５】
本発明は、上記の問題点に鑑みてなされたものであって、皮下脂肪厚を精度良く測定することができる生体測定装置を提供することを目的とする。
【課題を解決するための手段】
【０００６】
上記目的を達成するため、本発明の一態様に係る生体測定装置は、各々が、人体の皮下脂肪厚を測定しようとする部位に接触させて測定を行うための測定電極である第１の電流印加用電極、第２の電流印加用電極、第１の電圧測定用電極、および第２の電圧測定用電極、を備え、前記第１の電流印加用電極と前記第２の電流印加用電極との間隔は、測定可能な皮下脂肪厚の上限に基づく。
【０００７】
また、本発明の一態様に係る生体測定装置であって、前記第１の電流印加用電極と前記第２の電流印加用電極との間隔は、測定可能な皮下脂肪厚の上限値の３分の１であるようにしてもよい。
【０００８】
また、本発明の一態様に係る生体測定装置であって、前記第１の電流印加用電極と前記第２の電流印加用電極との間隔は、前記第１の電流印加用電極と前記第２の電流印加用電極のうちいずれか一方の電極から前記人体を介して他方の電極に至る電流経路を流れる電流と、前記第１の電圧測定用電極と前記第２の電圧測定用電極と間に発生する電圧とから求めるレジスタンスとリアクタンスとの比と、前記皮下脂肪厚との関係が一次関数で表される上限値の皮下脂肪厚の３分の１であるようにしてもよい。
【０００９】
また、本発明の一態様に係る生体測定装置であって、前記第１の電流印加用電極および前記第２の電流印加用電極は、前記第１の電圧測定用電極と前記第２の電圧測定用電極との間に挟まれるようにして配置されるようにしてもよい。
【００１０】
また、本発明の一態様に係る生体測定装置であって、前記第１の電圧測定用電極は、前記第１の電流印加用電極の長手方向の垂直に隣接して配置され、前記第１の電流印加用電極は、前記第２の電流印加用電極の長手方向の垂直に隣接して配置され、前記第２の電流印加用電極は、前記第２の電圧測定用電極の長手方向の垂直に隣接して配置されるようにしてもよい。
【００１１】
また、本発明の一態様に係る生体測定装置であって、前記第１の電圧測定用電極と前記第１の電流印加用電極との間隔と、前記第２の電流印加用電極と前記第２の電圧測定用電極との間隔とが等しいようにしてもよい。
【００１２】
また、本発明の一態様に係る生体測定装置であって、前記第１の電圧測定用電極と前記第１の電流印加用電極との間隔と、前記第１の電流印加用電極と前記第２の電流印加用電極との間隔とが等しいようにしてもよい。
【００１３】
また、本発明の一態様に係る生体測定装置であって、前記第１の電流印加用電極は、前記第１の電圧測定用電極または前記第２の電流印加用電極の少なくともいずれか一方の方向に移動可能であるようにしてもよい。
【００１４】
また、本発明の一態様に係る生体測定装置であって、前記第２の電流印加用電極は、前記第２の電圧測定用電極または前記第１の電流印加用電極の少なくともいずれか一方の方向に移動可能であるようにしてもよい。
【００１５】
また、本発明の一態様に係る生体測定装置は、前記第１の電圧測定用電極は、前記第１の電流印加用電極の移動に伴って、当該第１の電流印加用電極の移動方向と同じ方向に移動し、前記第２の電圧測定用電極は、前記第２の電流印加用電極の移動に伴って、当該第２の電流印加用電極の移動方向と同じ方向に移動するようにしてもよい。
【００１６】
また、本発明の一態様に係る生体測定装置であって、前記第１の電流印加用電極、前記第２の電流印加用電極、前記第１の電圧測定用電極、および前記第２の電圧測定用電極おのおのの表面積が同一であるようにしてもよい。
【００１７】
また、本発明の一態様に係る生体測定装置は、前記第１の電流印加用電極と前記第２の電流印加用電極との間を流れる交流電流を出力する電流発生部と、前記第１の電圧測定用電極と前記第２の電圧測定用電極との間の電圧を測定する電圧測定部と、前記測定電極が人体の皮下脂肪厚を測定する部位に接触したときに、前記第１の電流印加用電極および前記第２の電流印加用電極のうちの何れか一方の電極から前記人体を介して他方の電極へ至る電流経路を流れる電流と、前記電圧測定部にて測定される電圧との位相差に基づいて、前記第１の電流印加用電極と前記第２の電流印加用電極との間における皮下脂肪厚を求める皮下脂肪厚測定部と、を備えるようにしてもよい。
【００１８】
また、本発明の一態様に係る生体測定装置であって、前記皮下脂肪厚測定部は、前記電流経路を流れる電流と前記電圧測定部にて測定される電圧とから求められるリアクタンスおよびレジスタンスに基づいて、前記位相差を求めるようにしてもよい。
【発明の効果】
【００１９】
本発明の一態様によれば、皮下脂肪厚を精度良く測定することができる。
【図面の簡単な説明】
【００２０】
【図１】第１実施形態に係る生体測定装置の外観を示す図である。
【図２】第１実施形態に係る把持ユニットにおける測定電極の配置の一例を説明する図である。
【図３】第１実施形態に係る計測ユニットの概略のブロック図である。
【図４】人体の組織の等価回路を示す図である。
【図５】測定電極が被測定者に接触したときに、電流発生部から出力される交流電流が被測定者の脂肪層および筋肉層を流れるときの様子を模式的に示した図である。
【図６】脂肪層および筋肉層の等価回路を示す図である。
【図７】第１実施形態に係る皮下脂肪厚の測定の処理手順を示すフローチャートである。
【図８】間隔Ｌ１が５［ｍｍ］の測定電極を用いたＲ／Ｘの演算値と、超音波測定器で計測した皮下脂肪厚の実測値との関係を示す相関図である。
【図９】間隔Ｌ１が１５［ｍｍ］の測定電極を用いたＲ／Ｘの演算値と、超音波測定器で計測した皮下脂肪厚の実測値との関係を示す相関図である。
【図１０】間隔Ｌ１が２０［ｍｍ］の測定電極を用いたＲ／Ｘの演算値と、超音波測定器で計測した皮下脂肪厚の実測値との関係を示す相関図である。
【図１１】シミュレーション条件を説明する図である。
【図１２】第１の電圧測定用電極と第２の電圧測定用電極との間に生じる電位差をシミュレーションした結果の一例を説明する図である。
【図１３】比較例の把持ユニットにおける測定電極の配置の一例を説明する図である。
【図１４】第２実施形態に係る把持ユニットにおける測定電極の配置の一例を説明する図である。
【発明を実施するための形態】
【００２１】
以下、図面を参照しながら本発明の実施形態について説明する。
［第１実施形態］
本実施形態では、生体測定装置１として皮下脂肪厚を測定する皮下脂肪厚測定装置を例に説明する。
図１は、本実施形態に係る生体測定装置１の外観を示す図である。図１に示すように、生体測定装置１は、把持ユニット１０と計測ユニット２０とを備える。把持ユニット１０は、ケーブル３０を介して計測ユニット２０と接続されており、その先端の面には、人体に接触させて皮下脂肪厚の測定を行うための測定電極１２（１２ａ、１２ｂ、１２ｃ、１２ｄ）が配置されている。
【００２２】
まず、把持ユニット１０について、図１と図２を用いて説明する。
図２は、本実施形態に係る把持ユニット１０における測定電極１２の配置の一例を説明する図である。図１および図２に示すように、測定電極１２は、第１の電流印加用電極１２ａ、第２の電流印加用電極１２ｂ、第１の電圧測定用電極１２ｃ、および第２の電圧測定用電極１２ｄを備える。また、図１および図２において、把持ユニット１０の測定電極１２が有する面の長手方向をｙ軸方向、短手方向をｘ軸方向とする。
【００２３】
第１の電圧測定用電極１２ｃ、第１の電流印加用電極１２ａ、第２の電流印加用電極１２ｂ、および第２の電圧測定用電極１２ｄおのおのの大きさは、長さがＨ、幅がＷである。長さＨは、例えば２５［ｍｍ］、幅Ｗは、例えば５［ｍｍ］である。すなわち、第１の電圧測定用電極１２ｃ、第１の電流印加用電極１２ａ、第２の電流印加用電極１２ｂ、および第２の電圧測定用電極１２ｄの表面積は互いに等しい。
【００２４】
第１の電圧測定用電極１２ｃ、第１の電流印加用電極１２ａ、第２の電流印加用電極１２ｂ、および第２の電圧測定用電極１２ｄは、ｙ軸方向に沿って、この順番で配置される。第１の電圧測定用電極１２ｃと第１の電流印加用電極１２ａとの間隔はＬ２である。第１の電流印加用電極１２ａと第２の電流印加用電極１２ｂとの間隔はＬ１である。第２の電流印加用電極１２ｂと第２の電圧測定用電極１２ｄとの間隔はＬ２である。
【００２５】
第１の電流印加用電極１２ａと第２の電流印加用電極１２ｂとの間隔Ｌ１は、測定電極１２を備える把持ユニット１０を用いて測定可能な皮下脂肪厚の上限値（以下、最大脂肪厚という）の略１／３である。例えば、最大脂肪厚が４５［ｍｍ］の場合、間隔Ｌ１は略１５［ｍｍ］である。このように、間隔Ｌ１は、第１の電流印加用電極１２ａおよび第２の電流印加用電極１２ｂの幅Ｗ以上であってもよい。また、間隔Ｌ１は、第１の電流印加用電極１２ａおよび第２の電流印加用電極１２ｂの長さＨ以下であってもよい。
【００２６】
第１の電圧測定用電極１２ｃと第１の電流印加用電極１２ａとの間のｙ軸方向における間隔Ｌ２は、Ｌ１と同じであってもよく、異なっていてもよい。第２の電圧測定用電極１２ｄと第２の電流印加用電極１２ｂとの間のｙ軸方向における間隔Ｌ２は、Ｌ１と同じであってもよく、異なっていてもよい。例えば、間隔Ｌ１が１５［ｍｍ］の場合、間隔Ｌ２は１５［ｍｍ］であってもよく、１３［ｍｍ］または１７［ｍｍ］等であってもよい。また、図２に示した例では、各測定電極（１２ａ、１２ｂ、１２ｃ、１２ｄ）の寸法が同じ例を示しているが、第１の電圧測定用電極１２ｃおよび第２の電圧測定用電極１２ｄの寸法は、第１の電流印加用電極１２ａおよび第２の電流印加用電極１２ｂの寸法と異なっていてもよい。
【００２７】
次に、計測ユニット２０の説明を行う。
図１に示すように、計測ユニット２０は、表示部２０１、入力部２０２を備える。
表示部２０１は、計測ユニット２０が備える制御部２０３（図３）から入力される計測された結果を表示する。表示部２０１は、例えば液晶パネル装置、有機ＥＬ（エレクトロルミネッセンス）等である。
入力部２０２は、例えば測定開始を指示するスタートキーである。入力部２０２は、利用者である被測定者または測定者によって操作されたことが検出された場合、検出された結果を制御部２０３に出力する。
【００２８】
図３は、本実施形態に係る計測ユニット２０の概略のブロック図である。図３に示すように、計測ユニット２０は、表示部２０１、入力部２０２、制御部２０３、メモリ２０４、電流発生部２０５、電圧測定部２０６、および電源部２０７を備えている。
【００２９】
電流発生部２０５は、交流電流を発生させ、発生させた交流電流を、把持ユニット１０における第１の電流印加用電極１２ａと第２の電流印加用電極１２ｂとに供給する。電流発生部２０５が発生させる交流電流の周波数は、例えば５０［ｋＨｚ］である。
電圧測定部２０６は、第１の電圧測定用電極１２ｃと第２の電圧測定用電極１２ｄとの間の電圧を測定し、測定した結果を示す信号を制御部２０３に出力する。
電源部２０７は、計測ユニット２０の電気系統各部に電力を供給する。
【００３０】
制御部２０３は、電圧測定部２０６が測定した結果と、メモリ２０４に記憶されている皮下脂肪厚を演算するための演算式を用いて、皮下脂肪厚を演算し、演算した皮下脂肪厚を表示部２０１に表示させる。なお、制御部２０３が行う演算については、後述する。
メモリ２０４は、被測定者の皮下脂肪厚を演算するための演算式、測定された結果、演算された結果などを記憶する。
【００３１】
次に、皮下脂肪厚の計測について説明する。
人体の組織（筋肉組織および脂肪組織）は、各々が細胞内液を含有する複数の細胞膜と、各細胞膜間に介在する細胞外液とを有する。細胞膜の容量成分をＣｍ、細胞内液の抵抗成分をＲｉ、細胞外液の抵抗成分をＲｅとすると、筋肉組織および脂肪組織は、図４に示す等価回路で表すことができる。図４は、人体の組織の等価回路を示す図である。
【００３２】
脂肪組織においては、細胞膜内に細胞内液が殆ど含有されていないため、細胞内液の抵抗Ｒｉの値は、細胞外液の抵抗Ｒｅの値に比べて非常に大きい値となる（Ｒｅ＜＜Ｒｉ）。このため、電流発生部２０５から出力される交流電流が脂肪組織を流れると、その電流の大部分は細胞外液の抵抗成分Ｒｅを流れるから、当該電流と電圧測定部２０６にて測定される電圧との位相差は殆ど生じない。一方、筋肉組織においては、細胞膜内に細胞内液が含有されているから、電流発生部２０５から出力される交流電流が筋肉組織を流れると、その電流は細胞外液の抵抗成分Ｒｅだけでなく、細胞膜の容量成分Ｃｍおよび細胞内液の抵抗成分Ｒｉを流れる。したがって、電流発生部２０５から出力される交流電流と電圧測定部２０６にて測定される電圧との間には位相差が生じる。
【００３３】
すなわち、筋肉層は位相差を生じさせやすいという性質を有する一方、脂肪層は位相差を生じさせにくいという性質を有するから、皮下脂肪厚が大きいほど脂肪層の性質が支配的となって位相差は小さくなる。一方、皮下脂肪厚が小さいほど筋肉層の性質が支配的となって位相差は大きくなる傾向を示す。本実施形態では、このことを利用して皮下脂肪厚を測定する。
【００３４】
制御部２０３は、測定電極１２（１２ａ、１２ｂ、１２ｃ、１２ｄ）が人体に接触したときに、電流発生部２０５から出力される電流と、電圧測定部２０６にて測定される電圧とから、両者の位相差を求めるとともに、インピーダンスを算出する。さらに、制御部２０３は、位相差とインピーダンスとから、インピーダンスの実数部分であるレジスタンスＲと、インピーダンスの虚数部分であるリアクタンスＸとを求めたうえで、リアクタンスＸとレジスタンスＲとの比であるＲ／Ｘを求める。位相差が小さいほどレジスタンスＲに対するリアクタンスＸの割合は小さくなる一方、位相差が大きいほどレジスタンスＲに対するリアクタンスＸの割合は大きくなる。そして、制御部２０３は、求めたＲ／Ｘの値に対応する皮下脂肪厚を演算する。
【００３５】
次に、上述のＲ／Ｘと、皮下脂肪厚との関係について説明する。図５は、測定電極１２が被測定者に接触したときに、電流発生部２０５から出力される交流電流が被測定者の脂肪層および筋肉層を流れるときの様子を模式的に示した図である。図５の符号３０１は、脂肪層を示し、符号３０２は筋肉層を示し、符号３１１が示す斜線部分は交流電流の電流経路を示す。また、Ｌｆは、脂肪層の厚み（皮下脂肪厚）である。図５において、電流発生部２０５は、第１の電流印加用電極１２ａと第２の電流印加用電極１２ｂとに交流電流を供給する。図５に示すように、電流は脂肪層と筋肉層の両方に流れる。
【００３６】
次に、脂肪層および筋肉層の等価回路を説明する。
図６は、脂肪層および筋肉層の等価回路を示す図である。図６に示すＲｆは、脂肪層の抵抗成分である。前述したように、脂肪層においては容量成分を殆ど無視することができる。また、Ｚｍは筋肉層に相当する部分を示し、Ｒｊは筋肉層の細胞外液の抵抗成分を示し、Ｒｋは筋肉層の細胞内液の抵抗成分を示し、Ｃｌは筋肉層の細胞膜の容量成分を示す。このとき、被測定者の体のうち測定電極が接触する部位におけるリアクタンスＸとレジスタンスＲとの比であるＲ／Ｘは、次式（１）で表される。
【００３７】
【数１】
2015093014.tif 000003
【００３８】
式（１）において、ωは、角周波数である。
また、脂肪層の抵抗成分Ｒｆは皮下脂肪厚Ｌｆに反比例するため、抵抗成分Ｒｆと皮下脂肪厚Ｌｆとの関係は次式（２）で表される。
【００３９】
【数２】
2015093014.tif 000004
【００４０】
なお、式（２）においてｋは定数である。上述の式（１）および式（２）から、皮下脂肪厚Ｌｆは以下の式（３）で表される。
【００４１】
【数３】
2015093014.tif 000005
【００４２】
式（３）においてａおよびｂは定数である。式（３）のように、皮下脂肪厚ＬｆとＲ／Ｘとは比例関係にある。つまり、皮下脂肪厚Ｌｆが大きいほど脂肪層の性質が支配的となって位相差は小さくなるので、レジスタンスＲに対するリアクタンスＸの割合が小さくなる（Ｒ／Ｘの値は大きくなる）。また、皮下脂肪厚Ｌｆが小さいほど筋肉層の性質が支配的となって位相差が大きくなるので、レジスタンスＲに対するリアクタンスＸの割合は大きくなる（Ｒ／Ｘの値は小さくなる）。
【００４３】
本実施形態では、上記式（３）は予めメモリ２０４に保存されている。そして、制御部２０３は、メモリ２０４に保存されている皮下脂肪厚の演算式（上述の式（３））をメモリ２０４から読み出し、読み出した演算式（３）に演算したＲ／Ｘの値を代入することで、皮下脂肪厚Ｌｆの値を算出する。
【００４４】
次に、皮下脂肪厚の測定について説明する。
図７は、本実施形態に係る皮下脂肪厚の測定の処理手順を示すフローチャートである。
（ステップＳ１）被測定者または測定者は、入力部２０２を操作する。制御部２０３は、入力部２０２が操作されたことに応じて電源オン状態にし、電源部２０７から電気系統各部への電源供給を開始させる。次に、被測定者または測定者は、皮下脂肪厚を測定するために、被測定者の体のうち皮下脂肪厚を測定しようとする部位に把持ユニット１０の先端部を押しあてる。次に、制御部２０３は、被測定者の体のうち測定電極１２（１２ａ，１２ｂ，１２ｃ，１２ｄ）が接触する部位における皮下脂肪厚Ｌｆを、メモリ２０４から読み出した上述した式（３）を用いて算出する。
【００４５】
より具体的には、測定電極１２（１２ａ，１２ｂ，１２ｃ，１２ｄ）が被測定者に接触すると、第１の電流印加用電極１２ａおよび第２の電流印加用電極１２ｂのうちの何れか一方の電極から被測定者を介して他方の電極へ至る電流経路が形成される。そして、電流経路には、電流発生部２０５から出力される交流電流が流れる。制御部２０３は、上述した式（３）を用いて、電流経路を流れる電流と、電圧測定部２０６にて測定される電圧との位相差に基づいて、第１の電流印加用電極１２ａと第２の電流印加用電極１２ｂとの間における皮下脂肪厚Ｌｆを算出する。
【００４６】
（ステップＳ２）制御部２０３は、算出した皮下脂肪厚Ｌｆを表示部２０１に表示させるように制御する。
これにより、皮下脂肪厚の測定の処理が終了する。
【００４７】
以上、説明したように、本実施形態では、第１の電流印加用電極１２ａと第２の電流印加用電極１２ｂとの間隔Ｌ１を、測定したい最大の皮下脂肪厚Ｌｆの１／３に配置している。このように配置された測定電極１２（１２ａ、１２ｂ、１２ｃ、１２ｄ）が人体に接触したときに、脂肪層と筋肉層とでは位相差の生じ方に違いがある。このため、制御部２０３は、第１の電流印加用電極１２ａおよび第２の電流印加用電極１２ｂのうちの何れか一方の電極から人体を介して他方の電極へ至る電流経路を流れる電流と、電圧測定部２０６にて測定された電圧との位相差に基づいて、第１の電流印加用電極１２ａと第２の電流印加用電極１２ｂとの間における皮下脂肪厚Ｌｆを算出する。
【００４８】
次に、第１の電流印加用電極１２ａと第２の電流印加用電極１２ｂ（図２）との間隔Ｌ１を、測定したい皮下脂肪厚Ｌｆの上限値の１／３にする根拠について説明する。
図８は、間隔Ｌ１が５［ｍｍ］の測定電極１２を用いたＲ／Ｘの演算値と、超音波測定器で計測した皮下脂肪厚の実測値との関係を示す相関図である。図９は、間隔Ｌ１が１５［ｍｍ］の測定電極１２を用いたＲ／Ｘの演算値と、超音波測定器で計測した皮下脂肪厚の実測値との関係を示す相関図である。図１０は、間隔Ｌ１が２０［ｍｍ］の測定電極１２を用いたＲ／Ｘの演算値と、超音波測定器で計測した皮下脂肪厚の実測値との関係を示す相関図である。図８〜図１０において、横軸は本実施形態の測定電極１２で測定したＲ／Ｘ、縦軸は超音波測定器で測定した皮下脂肪厚である。また、図８〜図１０に示した図おのおのは、第１の電流印加用電極１２ａと第２の電流印加用電極１２ｂとの間隔Ｌ１を、それぞれ５［ｍｍ］、１５［ｍｍ］、および２０［ｍｍ］に配置した。なお、図８〜図１０に示した図では、第１の電圧測定用電極１２ｃと第１の電流印加用電極１２ａとの間隔Ｌ２を、間隔Ｌ１と同じ間隔にして計測した結果である。
【００４９】
図８に示すように、第１の電流印加用電極１２ａと第２の電流印加用電極１２ｂとの間隔Ｌ１が５［ｍｍ］の場合、皮下脂肪厚とＲ／Ｘとの関係が一次関数で表せるのは、皮下脂肪厚が約１５［ｍｍ］以下である。皮下脂肪厚が約１５［ｍｍ］を超えると、分散が大きくなり、皮下脂肪厚とＲ／Ｘとの関係は一次関数で表せなくなる。
【００５０】
図９に示すように、第１の電流印加用電極１２ａと第２の電流印加用電極１２ｂとの間隔Ｌ１が１５［ｍｍ］の場合、皮下脂肪厚とＲ／Ｘとの関係が一次関数で表せるのは、皮下脂肪厚が約４５［ｍｍ］以下である。皮下脂肪厚が約４５［ｍｍ］を超えると、分散が大きくなり、皮下脂肪厚とＲ／Ｘとの関係は一次関数で表せなくなる。
【００５１】
図１０に示すように、第１の電流印加用電極１２ａと第２の電流印加用電極１２ｂとの間隔Ｌ１が２０［ｍｍ］の場合、皮下脂肪厚とＲ／Ｘとの関係が一次関数で表せるのは、皮下脂肪厚が約６０［ｍｍ］以下である。皮下脂肪厚が約６０［ｍｍ］を超えると、分散が大きくなり、皮下脂肪厚とＲ／Ｘとの関係は一次関数で表せなくなる。
【００５２】
図８〜図１０に示したように、第１の電流印加用電極１２ａと第２の電流印加用電極１２ｂとの間隔Ｌ１の約３倍までの皮下脂肪厚が、精度良く計測できる。例えば、皮下脂肪厚を７５［ｍｍ］まで計測したい場合、第１の電流印加用電極１２ａと第２の電流印加用電極１２ｂとの間隔Ｌ１は、７５［ｍｍ］の１／３である２５［ｍｍ］である。
【００５３】
次に、第１の電流印加用電極１２ａと第２の電流印加用電極１２ｂとの間隔Ｌ１と皮下脂肪厚の関係について説明する。
図１１は、シミュレーション条件を説明する図である。図１２は、第１の電圧測定用電極１２ｃと第２の電圧測定用電極１２ｄとの間に生じる電位差をシミュレーションした結果の一例を説明する図である。
【００５４】
図１１に示すように、被測定者の皮膚の表面に把持ユニット１０を当て、筋肉層３０２の厚みＭを固定し、脂肪（皮下脂肪）層３０１の厚みＦを変化させた場合の第１の電圧測定用電極１２ｃと第２の電圧測定用電極１２ｄとの間に生じる電位差をシミュレーションした。なお、第１の電流印加用電極１２ａと第２の電流印加用電極１２ｂとの間隔Ｌ１を１５［ｍｍ］、第１の電圧測定用電極１２ｃと第１の電流印加用電極１２ａとの間隔Ｌ２を間隔Ｌ１と同じ１５［ｍｍ］にしてシミュレーションした。
【００５５】
図１２において、横軸は電位差、縦軸は皮下脂肪厚（脂肪層の厚み）である。図１２に示すように、第１の電流印加用電極１２ａと第２の電流印加用電極１２ｂとの間隔Ｌ１が１５［ｍｍ］の場合、皮下脂肪厚が約４５［ｍｍ］以下は皮下脂肪厚と電位差の関係が一次関数で表される。一方、皮下脂肪厚が４５［ｍｍ］を超えると、皮下脂肪厚と電位差の関係が一次関数で表せなくなる。この理由は、第１の電流印加用電極１２ａおよび第２の電流印加用電極１２ｂに印加した電流は、皮下脂肪厚が約４５［ｍｍ］まで脂肪層に加えて筋肉層にも流れる。皮下脂肪厚が４５［ｍｍ］を超えると、印加される電流は、ほぼ脂肪層のみを流れるため、図６で示した等価回路とは異なる等価回路になるためと考えられる。このため、上述した式（３）に測定結果を代入して皮下脂肪厚Ｌｆを算出しても、精度良く皮下脂肪厚Ｌｆを算出できなくなると考えられる。
このシミュレーションの結果から、間隔Ｌ１が１５［ｍｍ］の場合、皮下脂肪厚を精度良く測定できる範囲は、間隔Ｌ１である１５［ｍｍ］の約３倍である４５［ｍｍ］以下であることがわかる。
【００５６】
次に、図２に示したように、第１の電流印加用電極１２ａと第２の電流印加用電極１２ｂを内側、第１の電圧測定用電極１２ｃと第２の電圧測定用電極１２ｄとを外側に配置する理由を説明する。
図１３は、比較例の把持ユニット１０’における測定電極１２’の配置の一例を説明する図である。図２に示した把持ユニット１０と把持ユニット１０’との差異は、測定電極１２’の配列である。
図１３に示すように、第１の電流印加用電極１２ａ、第１の電圧測定用電極１２ｃ、第２の電圧測定用電極１２ｄ、および第２の電流印加用電極１２ｂは、ｙ軸方向に沿って、この順番に配置される。換言すると、第１の電流印加用電極１２ａと第２の電流印加用電極１２ｂが外側、第１の電圧測定用電極１２ｃと第２の電圧測定用電極１２ｄとが内側に配置される。そして、この電極の配置を入れ替えた把持ユニット１０’を用いて複数の被測定者の上腕と腹部にて皮下脂肪厚を計測した。
【００５７】
計測した結果、皮下脂肪厚とＲ／Ｘの関係において、分散が大きな結果になった。この理由は、第１の電流印加用電極１２ａと第２の電流印加用電極１２ｂを外側に配置した場合、第１の電圧測定用電極１２ｃと第２の電圧測定用電極１２ｄとの間に発生する電圧差は、皮膚の表面に流れる電流による電位差であり、脂肪層および筋肉層の深部まで計測ができていないためであると考えられる。このため、本実施形態の生体測定装置１では、第１の電流印加用電極１２ａと第２の電流印加用電極１２ｂを内側、第１の電圧測定用電極１２ｃと第２の電圧測定用電極１２ｄとを外側に配置する。
【００５８】
ここで、把持ユニット１０があてられるのは、上腕や腹部等である。このように、人体の各部にあてられる把持ユニット１０の大きさは、大きすぎても使い勝手に支障がでる場合もある。例えば、図２に示した間隔Ｌ１およびＬ２を１５［ｍｍ］、測定電極１２の各電極のｙ軸方向の幅Ｗが５［ｍｍ］である場合、把持ユニット１０のｙ軸方向の長さは、約６５［ｍｍ］である。上述したように、第１の電流印加用電極１２ａと第２の電流印加用電極１２ｂとの間隔Ｌ１が１５［ｍｍ］の場合、精度良く測定可能な皮下脂肪厚の上限値は４５［ｍｍ］である。このように、第１の電流印加用電極１２ａと第２の電流印加用電極１２ｂとの間隔Ｌ１が１５［ｍｍ］の場合は、把持ユニット１０のｙ軸方向の大きさが６５［ｍｍ］程度のため使い勝手がよく、かつ測定可能な皮下脂肪厚の上限値の４５［ｍｍ］であるため使い勝手がよい。
従って、第１の電流印加用電極１２ａと第２の電流印加用電極１２ｂとの間隔Ｌ１は、測定可能な皮下脂肪厚の上限値に加えて、使用用途や把持ユニット１０の大きさに基づいて選択するようにしてもよい。
【００５９】
以上、説明したように、本実施形態の生体測定装置１は、各々が、人体の皮下脂肪厚を測定しようとする部位に接触させて測定を行うための測定電極である第１の電流印加用電極１２ａ、第２の電流印加用電極１２ｂ、第１の電圧測定用電極１２ｃ、および第２の電圧測定用電極１２ｄ、を備え、第１の電流印加用電極１２ａと第２の電流印加用電極１２ｂとの間隔は、測定可能な皮下脂肪厚の上限に基づく。
【００６０】
この構成により、本実施形態の生体測定装置１は、皮下脂肪厚を精度良く測定することができる。
【００６１】
また、本実施形態では、第１の電流印加用電極１２ａと第２の電流印加用電極１２ｂとの間隔Ｌ１は、測定可能な皮下脂肪厚の上限値の３分の１である。
この構成により、本実施形態の生体測定装置１は、第１の電流印加用電極と第２の電流印加用電極との間隔Ｌ１の３倍まで、皮下脂肪厚を精度良く測定することができる。
【００６２】
また、本実施形態では、第１の電流印加用電極１２ａと第２の電流印加用電極１２ｂとの間隔Ｌ１は、第１の電流印加用電極１２ａと第２の電流印加用電極１２ｂのうちいずれか一方の電極から人体を介して他方の電極に至る電流経路を流れる電流と、第１の電圧測定用電極１２ｃと第２の電圧測定用電極１２ｄと間に発生する電圧とから求めるレジスタンスＲとリアクタンスＸとの比と、皮下脂肪厚Ｌｆとの関係が一次関数で表される上限値の皮下脂肪厚の３分の１である。
この構成により、本実施形態の生体測定装置１は、レジスタンスＲとリアクタンスＸとの比と、皮下脂肪厚Ｌｆとの関係が一次関数の関係である間隔Ｌ１の３倍の皮下脂肪厚まで、皮下脂肪厚を精度良く測定することができる。
【００６３】
また、本実施形態では、第１の電流印加用電極１２ａおよび第２の電流印加用電極１２ｂは、第１の電圧測定用電極１２ｃと第２の電圧測定用電極１２ｄとの間に挟まれるようにして配置される。また、本実施形態においては、電極の長手方向に第１の電圧測定用電極、第１の電流印加用電極、第２の電流印加用電極、第２の電流印加用電極の順に配置されている。
【００６４】
この構成により、本実施形態では、第１の電流印加用電極１２ａと第２の電流印加用電極１２ｂとの間に第１の電圧測定用電極１２ｃおよび第２の電圧測定用電極１２ｄが挟まれる態様（以下、「対比例」という）に比べて、第１の電流印加用電極１２ａと第２の電流印加用電極１２ｂとの間隔Ｌ１を小さくできる。一般的に、人体における脂肪の付き方にはバラツキがあり、部位によって脂肪の付着量が異なる（すなわち皮下脂肪厚Ｌｆが異なる）ため、人体に接触させて測定を行うための第１の電流印加用電極１２ａと第２の電流印加用電極１２ｂとの間隔Ｌ１が大きいと、測定誤差が生じやすい。本実施形態によれば、第１の電流印加用電極１２ａと第２の電流印加用電極１２ｂとの間隔Ｌ１を対比例に比べて小さくできるため、小さな測定箇所であっても皮下脂肪厚Ｌｆを測定することができる。このため、対比例に比べて皮下脂肪厚Ｌｆの測定精度が向上するという効果が得られる。
また、両側に電圧測定用電極、内側に電流印加用電極が配置されているため、把持ユニット１０の測定電極１２を皮膚に接触させるとき、上下左右を考慮せずに利用することができる。この結果、本実施形態では、被測定者または測定者である利用者の利便性を向上させることができる。
【００６５】
また、本実施形態では、第１の電圧測定用電極と第１の電流印加用電極との間隔と、第２の電流印加用電極と第２の電圧測定用電極との間隔とが等しい。そして、第１の電圧測定用電極と第１の電流印加用電極との間隔と、第１の電流印加用電極と第２の電流印加用電極との間隔とが等しい。また、第１の電流印加用電極、第２の電流印加用電極、第１の電圧測定用電極、および第２の電圧測定用電極おのおのの表面積が同一である。
この構成により、本実施形態では、表面積が同じである４つの電極を等間隔に配置しているため、把持ユニット１０の構造を簡易にすることができ、製造コストをさげることができる。
【００６６】
また、本実施形態によれば、筋肉層は位相差を生じさせやすいという性質を有する一方、脂肪層は位相差を生じさせにくいという性質を有するから、皮下脂肪厚Ｌｆが大きいほど脂肪層の性質が支配的となって位相差は小さくなり、皮下脂肪厚Ｌｆが小さいほど筋肉層の性質が支配的となって位相差は大きくなる。そうすると、皮下脂肪厚Ｌｆが大きいほどレジスタンスＲに対するリアクタンスＸの割合は小さくなり、皮下脂肪厚Ｌｆが小さいほどレジスタンスＲに対するリアクタンスＸの割合は大きくなる。この関係を利用して、本実施形態では、リアクタンスＸとレジスタンスＲとの比（Ｒ／Ｘ）を求め、その求めた比の値を上記式（３）に代入することで、対応する皮下脂肪厚Ｌｆを決定している。この態様によれば、皮下脂肪厚Ｌｆを精度良く測定できるという利点がある。
【００６７】
また、本実施形態では、生体測定装置１が１つの把持ユニット１０を備える例を説明したが、これに限られない。例えば、第１の電流印加用電極１２ａと第２の電流印加用電極１２ｂとの間隔Ｌ１が、測定可能な皮下脂肪厚の上限値の３分の１である複数の把持ユニット１０を備える、または交換可能であってもよい。例えば、間隔Ｌ１が１５［ｍｍ］の把持ユニット１０と間隔Ｌ１が２５［ｍｍ］の把持ユニット１０とが接続されている場合、被測定者または測定者は、先に間隔Ｌ１が１５［ｍｍ］の把持ユニット１０を用いて皮下脂肪厚の測定を行い、測定された結果に応じて、再度、間隔Ｌ１が２５［ｍｍ］の把持ユニット１０を用いて再測定を行うようにしてもよい。
また、生体測定装置１は、把持ユニット１０と計測ユニット２０が一体化されていてもよい。この場合、装置の小型化が可能となり、持ち運び易くなるという利点がある。
【００６８】
［第２実施形態］
第１実施形態では、第１の電流印加用電極１２ａと第２の電流印加用電極１２ｂとの間隔Ｌ１、第１の電圧測定用電極１２ｃと第２の電圧測定用電極１２ｄとの間隔Ｌ２を固定する例を説明したが、これに限られない。電極同士の間隔Ｌ１およびＬ２の少なくとも１つの間隔が変更できる構成であってもよい。
図１４は、本実施形態に係る把持ユニット１０Ａにおける測定電極の配置の一例を説明する図である。上段の符号４０１で示す領域の画像は、各電極の配置が初期状態を示している。また、下段の符号４０２で示す領域の画像は、各電極の配置が変更された変更後の状態を示している。図１４に示すように、把持ユニット１０Ａは測定電極１２Ａを備える。そして、第１の電圧測定用電極１２ｃ、第１の電流印加用電極１２ａ、第２の電流印加用電極１２ｂ、および第２の電圧測定用電極１２ｄは、ｙ軸方向に沿って、この順番で配置される。
【００６９】
図１３の符号４０１の画像のように、初期状態では、例えば、第１の電流印加用電極１２ａと第２の電流印加用電極１２ｂとの間隔Ｌ１が１５［ｍｍ］、第１の電圧測定用電極１２ｃと第２の電圧測定用電極１２ｄとの間隔Ｌ２が１５［ｍｍ］に配置されている。
被測定者の皮下脂肪厚を計測した場合、例えば計測値が４５［ｍｍ］であったとする。この場合、被測定者は、把持ユニット１０Ａの測定電極１２Ａの配置を符号４０２の状態に変化させて変更する。例えば、第１の電流印加用電極１２ａがｙ軸の負方向にΔＬ（例えば２．５［ｍｍ］）移動され、第２の電流印加用電極１２ｂがｙ軸の正方向にΔＬ（例えば２．５［ｍｍ］）移動される。これに伴って、第１の電圧測定用電極１２ｃがｙ軸の負方向に３ΔＬ（例えば７．５［ｍｍ］）移動され、第２の電圧測定用電極１２ｄがｙ軸の正方向に３ΔＬ（例えば７．５［ｍｍ］）移動される。なお、把持ユニット１０は、例えば、第１の電流印加用電極１２ａをｙ軸の正負方向に被測定者または測定者によって移動されることで、他の電極が連動して移動される機構を有していてもよい。
【００７０】
電極が移動後、符号４０２の画像のように、第１の電流印加用電極１２ａと第２の電流印加用電極１２ｂとの間隔Ｌ１１が２０［ｍｍ］（＝１５［ｍｍ］＋２×２．５［ｍｍ］）、第１の電圧測定用電極１２ｃと第１の電流印加用電極１２ａとの間隔Ｌ１２が２０［ｍｍ］（１５［ｍｍ］＋２×２．５［ｍｍ］）に配置される。このように第１の電流印加用電極１２ａと第２の電流印加用電極１２ｂとの間隔Ｌ１１が２０［ｍｍ］に広げられた把持ユニット１０Ａでは、計測可能な最大の皮下脂肪厚の厚みを約６０［ｍｍ］まで拡大することができる。このように電極幅が広げられた把持ユニット１０Ａを用いて皮下脂肪厚を再計測することで、最大脂肪厚に近い皮下脂肪厚であっても、さらに精度良く計測することが可能になる。
【００７１】
なお、上述した例では、第１の電流印加用電極１２ａと第２の電流印加用電極１２ｂとが両方とも移動することで、間隔Ｌ１を変化させる例を説明したが、これに限られない。第１の電流印加用電極１２ａおよび第２の電流印加用電極１２ｂの少なくともいずれか一方を移動させることで、間隔Ｌ１を変化させるようにしてもよい。例えば、第１の電流印加用電極１２ａのみを５［ｍｍ］移動させることで、間隔Ｌ１を１５［ｍｍ］から２０［ｍｍ］に変化させるようにしてもよい。この場合、移動に伴って第１の電圧測定用電極１２ｃも、例えば５［ｍｍ］または１０［ｍｍ］移動させるようにしてもよい。このように、第１の電流印加用電極１２ａと第２の電流印加用電極１２ｂのうち一方のみを移動させる場合、可動部を少なくすることができるので、生体測定装置１の耐久性を向上させることができる。
【００７２】
なお、図１４では、第１の電流印加用電極１２ａと第２の電流印加用電極１２ｂとの間隔Ｌ１１の変更に連動して、第１の電圧測定用電極１２ｃと第１の電流印加用電極１２ａとの間隔Ｌ１２、および第２の電流印加用電極１２ｂと第２の電圧測定用電極１２ｄとの間隔Ｌ１２も同じ間隔になるように変更する例を説明したがこれに限られない。例えば、第１の電流印加用電極１２ａと第２の電流印加用電極１２ｂとの間隔をＬ１からＬ１１に変化させ、第１の電圧測定用電極１２ｃと第１の電流印加用電極１２ａとの間隔Ｌ２、および第２の電流印加用電極１２ｂと第２の電圧測定用電極１２ｄとの間隔Ｌ２は固定であってもよい。また、第１の電流印加用電極１２ａと第２の電流印加用電極１２ｂとの変化後の間隔Ｌ１１と、第１の電圧測定用電極１２ｃと第１の電流印加用電極１２ａとの変化後の間隔Ｌ１２とは、異なる間隔であってもよい。
【００７３】
上述したように、本実施形態では、第１の電流印加用電極１２ａは、第１の電圧測定用電極１２ｃまたは第２の電流印加用電極１２ｂの少なくともいずれか一方の方向に移動可能である。または、第２の電流印加用電極１２ｂは、第２の電圧測定用電極１２ｄまたは第１の電流印加用電極１２ａの少なくともいずれか一方の方向に移動可能である。さらに、第１の電圧測定用電極１２ｃは、第１の電流印加用電極１２ａの移動に伴って、第１の電流印加用電極１２ａの移動方向と同じ方向に移動し、第２の電圧測定用電極１２ｄは、第２の電流印加用電極１２ｂの移動に伴って、第２の電流印加用電極１２ｂの移動方向と同じ方向に移動する。
【００７４】
この構成により、本実施形態では、測定対象となる被測定者の皮下脂肪厚に応じて、第１の電圧測定用電極、第１の電流印加用電極、第２の電流印加用電極、第２の電流印加用電極の各間隔を変化させることができる。これにより、本実施形態によれば、測定が可能な皮下脂肪厚の範囲を拡大することができる。
【００７５】
なお、第１および第２実施形態で説明した生体測定装置１は、周知の手法によって被測定者の体重、体脂肪率、体脂肪量などを測定する機能を備えていてもよい。この場合、生体測定装置１の制御部２０３は、測定された皮下脂肪厚と体脂肪量と周知の演算式とを用いて内臓脂肪面積を演算し、演算した内臓脂肪面積を表示部２０１に表示させるようにしてもよい。また、制御部２０３は、測定された皮下脂肪厚と体脂肪量とメモリ２０４に記憶されている被測定者の身長と周知の演算式とを用いて内臓脂肪量を演算し、演算した内臓脂肪量を表示部２０１に表示させるようにしてもよい。また、制御部２０３は、測定された皮下脂肪厚と体脂肪量と周知の演算式とを用いて皮下脂肪面積を演算し、演算した皮下脂肪面積を表示部２０１に表示させるようにしてもよい。さらに、制御部２０３は、測定された皮下脂肪厚と体脂肪量とメモリ２０４に記憶されている被測定者の身長と周知の演算式とを用いて皮下脂肪量を演算し、演算した皮下脂肪量を表示部２０１に表示させるようにしてもよい。
【００７６】
なお、本発明における制御部２０３の機能を実現するためのプログラムをコンピュータ読み取り可能な記録媒体に記録して、この記録媒体に記録されたプログラムをコンピュータシステムに読み込ませ、実行することにより各部の制御、皮下脂肪厚の演算を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００７８】
１…生体測定装置、１０、１０Ａ…把持ユニット、１２、１２Ａ…測定電極、１２ａ…第１の電流印加用電極、１２ｂ…第２の電流印加用電極、１２ｃ…第１の電圧測定用電極、１２ｄ…第２の電圧測定用電極、２０…計測ユニット、３０…ケーブル、２０１…表示部、２０２…入力部、２０３…制御部、２０４…メモリ、２０５…電流発生部、２０６…電圧測定部、２０７…電源、Ｌ１、Ｌ２…測定電極間の間隔、Ｗ…測定電極の幅、Ｈ…測定電極の長さ
【図１】
2015093014.tif 000006
【図２】
2015093014.tif 000007
【図３】
2015093014.tif 000008
【図４】
2015093014.tif 000009
【図５】
2015093014.tif 000010
【図６】
2015093014.tif 000011
【図７】
2015093014.tif 000012
【図８】
2015093014.tif 000013
【図９】
2015093014.tif 000014
【図１０】
2015093014.tif 000015
【図１１】
2015093014.tif 000016
【図１２】
2015093014.tif 000017
【図１３】
2015093014.tif 000018
【図１４】
2015093014.tif 000019